(57)【要約】  頭飾品（２０）を頭髪（１９）に取り付けるための頭飾品用止着部材（１０）であり、基体（１１）と、基体（１１）の一面から突出して頭髪（１９）に上方向から挿入する複数のステム（１２）とを有する第１係止手段（１３）と、複数のステム（１２）と交差して横方向から頭髪（１９）に挿入する複数の櫛歯部（１４）を有する第２係止手段（１５）とを備え、第１係止手段（１３）の複数のステム（１２）と第２係止手段（１５）の複数の櫛歯部（１４）とで、頭髪（１９）に上方向と横方向とに交差して、頭髪（１９）に取り付ける。
2011040113.tif 000002
【特許請求の範囲】
【請求項１】
頭飾品を頭髪に取り付けるための頭飾品用止着部材であって、
基体と該基体の表面から突出して上記頭髪に上方向から挿入する複数のステムとを有する第１係止手段と、
上記複数のステムと交差して上記頭髪に横方向から挿入する複数の櫛歯部を有する第２係止手段と、を備え、
上記第１係止手段の上記複数のステムと上記第２係止手段の上記複数の櫛歯部とが上記頭髪に挿入された状態で互いに交差することで頭髪に係止され、これにより上記頭飾品を上記頭髪に取り付ける、頭飾品用止着部材。
【請求項２】
前記第２係止手段は、前記基体に対して前記横方向にスライド可能に連結され、前記複数の櫛歯部をスライドさせて前記頭髪に挿入可能とした、請求項１に記載の頭飾品用止着部材。
【請求項３】
前記第２係止手段は、前記基体に対して傾斜可能に連結され、前記複数の櫛歯部を傾斜させて前記頭髪に挿入可能とした、請求項２に記載の頭飾品用止着部材。
【請求項４】
前記ステムは、弾性変形可能な材料からなり、前記複数の櫛歯部がスライドすることで、上記ステムが弾性変形されて上記頭髪に挿入される、請求項１に記載の頭飾品用止着部材。
【請求項５】
前記ステムは、頭髪の１．５倍以上４．０倍以下の剛性を有する、請求項４に記載の頭飾品用止着部材。
【請求項６】
前記ステムは、前記基体から突出する線材と該線材の軸線に対して側方側に膨出する膨出部とを有し、上記膨出部が前記頭髪に係止可能である、請求項１に記載の頭飾品用止着部材。
【請求項７】
前記複数のステムは、長さが互いに不均一に形成され、上記複数のステムの前記頭髪内の配置位置が不均一にされている、請求項１に記載の頭飾品用止着部材。
【請求項８】
前記ステムの長さは、３ｍｍ以上６ｍｍ以下である、請求項１に記載の頭飾品用止着部材。
【請求項９】
前記ステムの配置密度は、５０本／ｃｍ２以上１２０本／ｃｍ２以下である、請求項１に記載の頭飾品用止着部材。
【請求項１０】
前記櫛歯部は、前記ステムより高い剛性を有する弾性変形可能な材料からなる、請求項１に記載の頭飾品用止着部材。
【請求項１１】
前記櫛歯部は、該櫛歯部の内側に上下に貫通する貫通部を有し、該貫通部が変形することで上記櫛歯部が変形する、請求項１０に記載の頭飾品用止着部材。
【請求項１２】
前記第２係止手段は、互いに隣接する前記櫛歯部間の間隙が先端側で広いと共に後端側で狭く形成されている、請求項１１に記載の頭飾品用止着部材。
【請求項１３】
前記複数の櫛歯部は、線材を平面方向に繰り返し折り返すことで形成されてなり、隣接する櫛歯部間が円弧形状のループ部を介して連続すると共に、該ループ部の直径が上記隣接する櫛歯部間の間隙より大きく形成されている、請求項１２に記載の頭飾品用止着部材。
【請求項１４】
前記第２係止手段は、前記基体に固定された環状の連結部に前記櫛歯部が遊嵌されることで、上記第２係止手段がスライド可能に連結されている、請求項１０に記載の頭飾品用止着部材。
【請求項１５】
前記第２係止手段は、幅方向両端に配置される前記櫛歯部に対し、それぞれ１カ所でスライド可能に連結されている、請求項１４に記載の頭飾品用止着部材。
【請求項１６】
前記基体は、可撓性材料からなり、前記頭飾品の変形に応じて変形可能である、請求項１に記載の頭飾品用止着部材。
【請求項１７】
頭髪に取り付けられる頭飾品本体を備えた頭飾品であって、
上記頭飾品本体に固設された基体と、該基体の表面から突出して上記頭髪に上方向から挿入する複数のステムを有する第１係止手段と、
上記複数のステムと交差して上記頭髪に横方向から挿入する複数の櫛歯部を有する第２係止手段とを備え、
上記第１係止手段の上記複数のステムと上記第２係止手段の上記複数の櫛歯部とが頭髪に挿入された状態で互いに交差して頭髪に係止され、これにより上記頭髪に固定される、頭飾品。
【請求項１８】
前記第１係止手段及び前記第２係止手段は、前記頭飾品本体周縁の互いに離間した複数位置に配置されている、請求項１７に記載の頭飾品。
【請求項１９】
前記複数の櫛歯部は、前記基体に対して前記頭飾品本体周縁から内側に向けてスライド可能に連結されている、請求項１７に記載の頭飾品。
【請求項２０】
前記複数の櫛歯部のスライド方向後端が、前記頭飾品本体の周縁より外側の位置から該周縁より内側の位置までスライド可能に連結されている、請求項１９に記載の頭飾品。
【発明の詳細な説明】
【技術分野】
【０００１】
本発明は、かつらや増毛具等の頭飾品を頭髪に取り付けるための頭飾品用止着部材と、この頭飾品用止着部材を備えた頭飾品に関する。
【背景技術】
【０００２】
頭髪を利用してかつらや増毛具などの頭飾品を取り付けるための止着部材は、各種のものが知られている。例えば下記特許文献１には、金属製の反転部材の一方の脚片に多数の突片が櫛歯状に取り付けられ、他方の脚片に摩擦部材が被着されたストッパが提案されている。このストッパは、反転部材を反転および復元させることで開閉可能に構成されている。このストッパを用いて頭飾品を頭髪に取り付けるには、まず頭飾品の裏面にストッパを取り付けた状態で、ストッパの反転部材を反転させて解放する。次いでストッパを頭部にあてがい、使用者が手で反転部材を押圧して復元させることで頭飾品を頭髪に取り付ける。【０００３】
下記特許文献２には、基体シートの一側面に多数のモノフィラメントが突設した構成を有し、所謂面ファスナーの雄部品からなるかつら用装着具が提案されている。このかつら用装着具を用いてかつらを頭髪に取り付けるには、かつらの裏面にかつら用装着具を取り付けた状態で、かつらの表面を頭部側に向けて押圧することで頭髪をモノフィラメントに絡み付けてかつらを頭髪に取り付ける。【０００４】
下記特許文献３には、線状部材が先端で折り返されてなる櫛歯を複数備えた所謂スプリングコームからなる装着具が提案されている。この装着具を用いてかつらを頭髪に取り付けるには、かつらの裏面に装飾具を取り付けた状態で、櫛歯を頭部の頭髪に挿入して頭髪を櫛歯で挟持することでかつらを頭髪に取り付ける。
【先行技術文献】
【特許文献】
【０００５】
【特許文献１】実公昭５６−２３２９４号公報
【特許文献２】実用新案登録第３１３４２８０号公報
【特許文献３】特開２００８−５０７２９号公報
【発明の概要】
【発明が解決しようとする課題】
【０００６】
しかしながら、上記特許文献１のストッパでは、ストッパによる十分な固定力を得るために反転部材の反転力を大きくすることが必要である。ところが、使用者は手指により反転部材を押圧することで頭髪の挟持及び解放を行う。そのためストッパを反転させる力を、例えば０．７〜１．０Ｋｇ或いはそれ以上に設定すると、手先の不自由な人、力の弱い高齢者等は上手に反転することが出来ず、かつらの着脱が困難であった。一方、反転部材を反転させ易くするために、反転力を小さくすると、ストッパによる十分な固定力が得られなかった。そのため、ストッパの固定力とストッパの着脱作業性とを両立することが容易でないという問題点があった。【０００７】
しかも、このストッパを固定したかつらを装着する場合、ストッパが固定された部分を捲り上げて位置決めした後で取り付ける。たとえば、かつらベースの裏面周縁にストッパを取り付けたかつらを頭部に固定する際、ストッパの櫛歯を毛髪に深く挿し込むためにかつらの周縁を捲くり上げる作業が必要となる。そのため着脱作業を繰り返すことでかつらベースのストッパの固定部分では疲労により耐久性が劣り易くなるという別の問題点を生じさせることもあった。【０００８】
上記特許文献２の装着具では、かつらを頭部に載せた後にかつらを表面から軽く押圧するだけで頭髪をモノフィラメントに絡み付けることができるので、着脱作業性は良好であった。しかしながら、装着具の固定力が不足していた。強固な固定力を得るために、頭飾品に多数個の装着具を取り付けると、装着具の数に比例して面ファスナーの雄部品であるモノフィラメントの総数が増えることになる。そのため頭髪の固定に利用されないモノフィラメントが多くなり、頭髪やかつらの毛髪が絡み付き易くて取り扱いが煩雑になるという別の問題点を生じさせることもあった。【０００９】
上記特許文献３のスプリングコームのような装着具では、かつらを頭部に載せると共に、櫛歯部を頭髪中に挿入することで装着するため、特別な力は不要であり、着脱作業性は比較的良好である。ところが、この装着具は幅方向に対しては高い固定力はあるものの、櫛歯部の長さ方向や上下方向の固定力が劣っていた。
スプリングコームは髪止めとしての用途に使用されるものであるため、かつら又は増毛具などの頭飾品を取り付ける用途に用いると、頭飾品の止着部材として要求される程度の固定力を得ることは困難であった。【００１０】
そこで、本発明は頭髪に対する十分な固定力が得られると共に、着脱作業が容易な頭飾品用止着部材を提供することを第１の目的とする。さらに、頭髪に対する十分な固定力を得られると共に、着脱作業が容易な頭飾品を提供することを第２の目的とする。
【課題を解決するための手段】
【００１１】
上記第１の目的を達成する本発明の頭飾品用止着部材は、基体と、基体の表面から突出して頭髪に上方向から挿入する複数のステムとを有する第１係止手段と、複数のステムと交差して頭髪に横方向から挿入する複数の櫛歯部を有する第２係止手段とを備え、第１係止手段の複数のステムと第２係止手段の複数の櫛歯部とを頭髪に挿入された状態で互いに交差することで頭髪に係止され、これにより上記頭飾品を上記頭髪に取り付ける構成を有する。【００１２】
この頭飾品用止着部材によれば、第１係止手段が基体の一面から突出して頭髪に上方向から挿入する複数のステムを有する。そのため複数のステムに頭髪を絡ませたり、引っ掛けることで第１係止手段による係止力が得られる。また第２係止手段が複数のステムと交差して頭髪に横方向から挿入する複数の櫛歯部を有する。そのため櫛歯部間で頭髪を挟持すると共に、櫛歯部に頭髪を絡ませることで第２係止手段による係止力が得られる。【００１３】
そして複数のステムと複数の櫛歯部とを頭髪に挿入して互いに交差させることで頭飾品を頭髪に取り付ける。そのため、例えば第１係止手段のステムと第２係止手段の櫛歯部とが同じ頭髪に交差して係止されることで各係止手段の係止力が向上し、且つ、第１係止手段のステムと第２係止手段の櫛歯部とが相互に他方の移動を規制する。よって、第１係止手段及び第２係止手段による係止力を相互に向上できて、頭飾品用止着部材の頭髪に対する十分な固定力を得ることが可能である。【００１４】
しかも、第１係止手段のステムを頭髪に上方から挿入すると共に第２係止手段の櫛歯部を横方向に挿入すれば、容易に頭飾品用止着部材を取り付けられ、第１係止手段及び第２係止手段の係止状態を解除すれば容易に離脱させることができ、着脱作業も容易である。【００１５】
本発明の第２係止手段は、基体に対して横方向にスライド可能に連結され、複数の櫛歯部をスライドさせて頭髪に挿入可能に構成するのが好ましい。この構成であれば、頭飾品用止着部材を装着する際、第１係止手段の複数のステムにより頭髪の移動を規制した状態で第２係止手段の複数の櫛歯部を挿入することができ、十分な係止力を得ることができる。【００１６】
本発明の第２係止手段は、基体に対して傾斜可能に連結され、複数の櫛歯部を傾斜させて頭髪に挿入可能であるのが好ましい。この構成により、第１係止手段の複数のステムを頭髪に絡ませた後で第２係止手段の複数の櫛歯部をスライドさせる際、角度を調整して頭髪に挿入できる。そのため第２係止手段の櫛歯部を頭髪間のより好ましい位置に挿入でき、装着が容易になる。【００１７】
本発明のステムは弾性変形可能な材料からなり、複数の櫛歯部がスライドすることで、ステムが弾性変形されて頭髪に挿入されるのが好ましい。このステムは頭髪の１．５倍以上４．０倍以下の剛性を有するのが好適である。この構成であれば、複数の櫛歯部をスライドさせる際、ステムを弾性変形させることができるので、複数の櫛歯部を基体に近接させて挿入することができ、複数のステムと複数の櫛歯部とを交差させ易い。【００１８】
本発明のステムは、基体から突出する線材と、線材の軸線に対して側方側に膨出する膨出部とを有し、膨出部が頭髪に係止可能であるのがよい。この構成であれば、各ステムと頭髪とが絡み易く、係止力を向上し易い。【００１９】
本発明の第１係止手段では、複数のステムの長さが互いに不均一に形成されているのがよい。この構成であれば、複数のステムが頭髪に挿入された際、各ステムが配置される深さを不均一にでき、各ステムを頭髪と絡ませ易くて係止力を向上し易い。【００２０】
このステムの長さは３ｍｍ以上６ｍｍ以下であるのがよく、また、ステムの配置密度は５０本／ｃｍ２以上１２０本／ｃｍ２以下であるのがよい。これらにより、頭髪を絡み易くできて係止力を向上し易い。【００２１】
本発明の櫛歯部は、ステムより高い剛性を有する弾性変形可能な材料からなるのがよい。この構成であれば、第２係止手段をスライドさせる際、各櫛歯部を複数のステム間や毛髪間に挿入させ易く、容易に装着できる。【００２２】
本発明の櫛歯部は、櫛歯部の内側に上下に貫通する貫通部を有し、貫通部が変形することで櫛歯部が変形するようにしてもよい。この構成であれば、第２係止手段をスライドさせる際、各櫛歯部が変形し易くなり、ステムと頭髪とが絡んだ状態でそれらの間に各櫛歯部を挿入し易くできる。【００２３】
本発明の第２係止手段は、互いに隣接する櫛歯部間の間隙が先端側で広く、後端側で狭く形成されているのが好適である。この構成であれば、第２係止手段をスライドさせることで、隣接する櫛歯部間の毛髪に対する挟持力を増加することができ、係止力を向上させることが可能である。【００２４】
この第２係止手段は、複数の櫛歯部が線材を平面方向に繰り返し折り返すことで形成されてなり、隣接する櫛歯部間が円弧形状のループ部を介して連続すると共に、ループ部の直径が隣接する櫛歯部間の間隙より大きく形成されているのが好適である。【００２５】
この構成であれば、隣接する櫛歯部間で毛髪を挟持した際、隣接する櫛歯部間の間隙が広がる方向に線材が変形することを、ループ部の付勢力で抑制することができ、各櫛歯部間の挟持力を向上させることができる。【００２６】
本発明の第２係止手段は、基体に固定された環状の連結部に櫛歯部が遊嵌されることで、第２係止手段がスライド可能に連結されているのが好適である。この構成であれば、簡単な構成で第２係止手段を基体にスライド可能に連結することが可能である。【００２７】
この構成では、第２係止手段の幅方向両端に配置される櫛歯部に対し、それぞれ１カ所でスライド可能に連結されるのが好ましい。この構成であれば、基体に対して第２係止手段をスライドさせる際の摺動抵抗が少なく抑えられ、操作性を向上し易い。【００２８】
本発明の基体は可撓性材料からなり、頭飾品の変形に応じて変形可能であるのが好適である。この構成であれば、頭飾品の変形を阻害することを防止できる。【００２９】
上記第２の目的を達成する本発明の頭飾品は、頭飾品本体に固設された基体と、基体の一面から突出して頭髪に上方向から挿入する複数のステムを有する第１係止手段と、複数のステムと交差して頭髪に横方向から挿入する複数の櫛歯部を有する第２係止手段とを備え、第１係止手段の複数のステムと第２係止手段の複数の櫛歯部とが頭髪に挿入された状態で互いに交差することで頭髪に係止され、これにより頭髪に固定されるように構成されている。【００３０】
この頭飾品によれば、頭飾品本体に固設された基体と、基体の一面から突出して頭髪に上方向から挿入する複数のステムを有する第１係止手段を備えている。そのため、複数のステムを頭髪に絡ませたり、引っ掛けたりすることで、第１係止手段による係止力が得られる。さらに複数のステムと交差して頭髪に横方向から挿入される複数の櫛歯部を有する第２係止手段を備える。そのため櫛歯部間で頭髪を挟持して絡ませることで係止力が得られる。【００３１】
本発明の止着部材によれば、複数のステムと複数の櫛歯部とを頭髪に挿入して互いに交差させることで頭髪に固定するので、例えば第１係止手段のステムと第２係止手段の櫛歯部とが同じ頭髪に交差して係止されることで係止力を向上できる。さらに第１係止手段のステムと第２係止手段の櫛歯部とが相互に他方の移動を規制することができる。そのため第１係止手段及び第２係止手段による係止力を相互に向上でき、頭飾品の頭髪に対する十分な固定力を得ることが可能である。【００３２】
しかも、頭飾品を頭髪に取り付ける際、第１係止手段のステムを頭髪に対して上方から挿入すると共に、第２係止手段の櫛歯部を横方向に挿入すれば容易に装着できる。一方、これらの係止状態を解除すれば容易に離脱させることができる。そのため頭飾品の着脱作業も容易である。【００３３】
本発明の第１及び第２係止手段は頭飾品本体周縁の互いに離間した複数位置に配置されているのが好ましい。第１及び第２係止手段により十分な固定力が得られるため、第１及び第２係止手段の配置面積を少なく抑えることができる。そのため不使用時や着脱時などに第１及び第２係止手段に頭髪が不用意に絡みつくようなことがなく、頭飾品の取り扱いが容易である。【００３４】
本発明の複数の櫛歯部は基体に対して頭飾品本体周縁から内側に向けてスライド可能に連結されているのが好適である。この構成によれば、頭飾品本体の周縁を大きく捲り上げることなく頭髪に取り付けることができ、頭飾品の着脱作業を容易にできる。【００３５】
第２の係止手段は、複数の櫛歯部のスライド方向後端が頭飾品本体の周縁より外側の位置から該周縁より内側の位置までスライドするように、第１の係止手段に連結されるのが好適である。この構成によれば、装着時には装着し易く、装着後には複数の櫛歯部が外部から視認されず、優れた外観を確保できる。
【発明の効果】
【００３６】
本発明の頭飾品用止着部材によれば、基体とこの基体から突出して頭髪に上方向から挿入する複数のステムとを有する第１係止手段と、複数のステムと交差して頭髪に横方向から挿入する複数の櫛歯部を有する第２係止手段とを備えている。そして第１係止手段の複数のステムと第２係止手段の複数の櫛歯部とを頭髪に挿入して互いに交差させることで頭飾品を頭髪に取り付ける。そのため頭髪に対する十分な固定力が得られると共に着脱作業が容易な頭飾品用止着部材を提供することができる。【００３７】
本発明の頭飾品によれば、頭飾品本体に固設された基体とこの基体から突出して頭髪に上方向から挿入する複数のステムとを有する第１係止手段と、複数の櫛歯部を有する第２係止手段とを備え、第１係止手段の複数のステムと第２係止手段の複数の櫛歯部とを頭髪に挿入して互いに交差させることで頭髪に取り付ける。そのため頭髪に対する十分な固定力が得られると共に、着脱作業が容易な頭飾品を提供することができる。
【図面の簡単な説明】
【００３８】
【図１】本発明の実施形態に係る頭飾品用止着部材を示す平面図である。
【図２】本発明の実施形態に係る頭飾品用止着部材を示す背面図である。
【図３】図２のＡ−Ａ 断面図である。
【図４】（ａ）は一実施形態の面ファスナー雄部品を示す断面図、（ｂ）は他の実施形態に係る面ファスナー雄部品の断面図である。
【図５】本発明の一実施形態に係るスプリングコームを表す正面図である。
【図６】他の実施形態に係るスプリングコームを表す正面図である。
【図７】本発明の実施形態に係る頭飾品用止着部材においてスプリングコームをスライドさせた状態を示す平面図である。
【図８】本発明の実施形態に係る頭飾品用止着部材においてスプリングコームを傾斜させた状態を示す断面図である。
【図９】本発明の実施形態に係る頭飾品の概略斜視図である。
【図１０】本発明の実施形態に係る頭飾品用止着部材を頭部に装着途中の状態を表す部分断面図である。
【図１１】本発明の実施形態に係る頭飾品用止着部材を頭髪に固定した状態を表す拡大断面図である。
【図１２】（ａ）は実施例１〜４及び比較例１〜４のサンプルを測定する治具を展開した状態を示す図、（ｂ）は実施例１〜４及び比較例１〜４のサンプルを測定する治具を示す側面図である。
【図１３】実施例及び比較例の測定方向を表す斜視図である。
【図１４】実施例５及び比較例５、６における頭飾品用止着部材の固定位置を示すかつらの概略裏面図である。
【符号の説明】
【００３９】
１０  頭部止着部材
１１  基体シート
１２  フィラメント突起
１３  雄部品
１４  櫛歯部
１５  スプリングコーム
１６  フィラメント
１７  膨出部
１８  連結縁部
１９  毛髪
２０  頭飾品
２１  台座
２２  頭飾品本体
２３  ループ部
２４  連結部
２７  接合層
２８  隙間
３１  シート材
【発明を実施するための形態】
【００４０】
以下、本発明の実施形態を図１〜図１１に基づいて説明する。
【００４１】
図１乃至図３は、本実施形態に係る頭飾品用止着部材１０を表しており、図９及び図１０はこの頭飾品用止着部材１０を用いた頭飾品２０を表している。
この実施形態の頭飾品２０は例えばかつら又は増毛具等である。頭飾品２０は各種の台座２１に多数の毛髪が植設された頭飾品本体２２を有し、頭飾品本体２２の台座２１の裏面に止着部材１０が取り付けられて構成されている。図９中、台座２１には天然毛髪又は人工毛髪からなる頭髪が取り付けられているが、詳細な図示は省略されている。
【００４２】
この実施形態の止着部材１０は、図１乃至３に示すように、第１係止手段である面ファスナーの雄部品（以下、雄部品と称す）１３と、第２係止手段としてのスプリングコーム１５とが連結されて構成されている。
雄部品１３は、台座２１に取り付け可能な基体シート１１と、基体シート１１の一面から突出し、頭髪１９に挿入されて頭髪１９と係止される複数のステムとしてのフィラメント突起１２とを有する。
【００４３】
基体シート１１は、頭部表面及び頭飾品本体２２の台座２１の形状に沿って変形可能な樹脂等の可撓性材料により形成されている。基体シート１１が頭飾品本体２２の台座２１より軟質に形成されていれば、頭飾品本体２２の変形を阻害しないため好適である。この基体シート１１ではフィラメント突起１２が設けられていない面が頭飾品本体２２への取付面となっている。なお、この基体シート１１にはフィルム、板等の他の薄肉部材を用いることも可能である。
【００４４】
フィラメント突起１２は基体シート１１の一面から立ち上がるように多数形成されている。各フィラメント突起１２は基体シート１１から頭皮表面側に向けた縦方向に突出している。縦方向は基体シート１１の一面から頭部側へ向かう方向であればよく、必ずしも垂直でなくてもよい。各フィラメント突起１２は、少なくとも一部に基体シート１１の表面よりも頭部側へ向かう部分を含んでいれば、直線状に形成されていてもよく、湾曲或いは屈曲していてもよい。
本実施形態におけるフィラメント突起１２は、可撓性を有し弾性変形可能な線状の材料からなり、例えばポリプロピレン等の樹脂により形成されている。このフィラメント突起１２の表面には摩擦係数を増加するためにスチレン系のエラストマーなどの被膜を設けてもよい。
【００４５】
フィラメント突起１２は、基体シート１１から突出して延びるフィラメント１６とフィラメント１６の軸線から側方に膨出する膨出部１７とを有する。
膨出部１７は各フィラメント１６の先端部に設けられていても、各フィラメント１６の中間部に設けられていてもよい。膨出部１７が先端部に設けられていれば、フィラメント突起１２を多数の頭髪１９中に挿入した際、頭髪１９がフィラメント突起１２に絡み付き易く、かつ絡み付いた毛髪がフィラメント突起１２から離れ難くなるため好適である。膨出部１７は、例えばフィラメント１６の全周囲に突出した球状であってもよく、フィラメント１６が屈曲又は湾曲することで一方側に突出した形状であってもよい。
【００４６】
各フィラメント１６は、図４（ａ）のように互いに平行に配列するように同じ長さで規則正しく配置されていてもよいが、図４（ｂ）のように互いに異なる長さや方向となるように不規則に配置されていてもよい。各フィラメント１６が互いに異なる長さや方向となっていたり、複数のフィラメント１６の一部が互いに絡んだ状態に形成されていたりすると、頭髪１９が絡み付き易くて安定した係止力が得られる。複数のフィラメント突起１２の長さが互いに不均一に形成されていれば、頭髪１９が絡む位置を異ならせることができる。
【００４７】
このようなフィラメント突起１２の長さは、特に３〜６ｍｍとするのが好適である。フィラメント突起１２の長さが過剰に短いと頭髪１９と絡み難くなる。一方、過剰に長いと、装着した際、頭部表面から基体シート１１が浮き上がり易くなったり、フィラメント突起１２が過剰に変形し易くなったりするため、頭髪１９と絡み難くなる。
【００４８】
フィラメント１６の太さは、フィラメント１６に必要な弾性や強度を確保できる範囲とすればよく、例えば頭髪１９の径の１．２〜６．０倍の径としてもよい。基体シート１１から突出した複数のフィラメント１６の撓み荷重により示される剛性が頭髪１９の１．５倍〜４．０倍の範囲とするのが好適である。フィラメント１６が過剰に柔らかい場合、装着時に多数の頭髪１９の間に挿入され難くて頭髪１９と絡ませ難くなる。一方、フィラメント１６が過剰に硬い場合、頭髪１９と相互に絡み合い難くなったり、フィラメント１６同士の絡み合いが解け易くなったりすることで固定力が低下することがある。
【００４９】
フィラメント突起１２の配置密度は、５０〜１２０本／cm２とするのが好適である。配置密度が低いと頭髪がフィラメント突起１２に絡み難くなり、止着部材１０の所望の係止力が確保できない。一方、配置密度が高い程止着部材１０と頭髪１９との係止力を確保し易くなるが、配置密度が過剰に高いと各フィラメント突起１２間の間隔が狭くなるため頭髪１９が絡み難くなる。
【００５０】
この実施形態に係る止着部材１０のスプリングコーム１５は、フィラメント突起１２と交差するように横方向に延びる複数の櫛歯部１４と、各櫛歯部１４を後端側で連結する連結縁部１８とを有する。各櫛歯部１４の延長方向がそれぞれ異なっていてもよく、連結縁部１８からの延長方向が互いに略平行となるように略同一となっていてもよい。各櫛歯部１４の延長方向が略同一であれば、後述するようにスプリングコーム１５をスライドさせ易くなる。
【００５１】
スプリングコーム１５を構成する素材としては、金属、合成樹脂、セラミックなどが挙げられる。このスプリングコーム１５は線材の曲げ成形、条材のプレス成形、型成形など各種の方法で作製できる。
各櫛歯部１４は金属や合成樹脂などの弾性を有する材料からなり、幅方向に弾性変形可能であるのが好適である。幅方向に弾性変形可能であれば、隣接する櫛歯部１４間の間隙２８や櫛歯部１４と雄部品１３との間において、櫛歯部１４の弾性力により頭髪１９を強く挟持することができるため、止着部材１０の係止力を向上できる。
なお、線材に金属を使用した場合には、金属アレルギーを防止する目的で、例えば直径１〜１０μｍアクリルビーズをウレタン塗料に１．５wｔ%程度含有したもので表面全体を被覆しても良い。
【００５２】
この実施形態のスプリングコーム１５は、弾性を有する１本の線材を平面方向に繰り返し折り返すことで形成されており、多数の櫛歯部１４が平坦な形状で配列している。各櫛歯部１４は連結縁部１８から先端部側へ延び、先端部で折り返され、再び連結縁部１８に戻るように曲げ加工された部位により構成されている。互いに隣接する各櫛歯部１４が連結縁部１８を介して連続している。
【００５３】
線材を曲げ加工することでスプリングコーム１５が形成されていると、互いに隣接する櫛歯部１４間の間隙２８の他に、各櫛歯部１４内にも上下に貫通する貫通部である空間１４ｅが形成される。そのため、後述するようにスプリングコーム１５をスライドさせる際、各櫛歯部１４が変形し易く、フィラメント突起１２と頭髪１９とが絡んだ状態で、それらの間隙へ各櫛歯部１４を挿入し易い。しかも頭部に装着された際、空間１４ｅや間隙２８を利用して頭髪１９を絡ませることができる。
【００５４】
スプリングコーム１５の各櫛歯部１４の形状は先端側で細く、連結縁部１８側で太くなっている。隣接する櫛歯部１４間の間隙２８は先端側で広く連結縁部１８側で狭くなっている。このような形状に形成されていれば、後述するようにスプリングコーム１５をスライドさせて装着した際、隣接する櫛歯部１４間の間隙２８で頭髪１９を強く挟持し得る。
各櫛歯部１４の形状は、例えば図６に示すように、先端部側から連結縁部１８側まで幅が徐々に増加する形状に形成されていてもよい。さらに図５に示すように、各櫛歯部１４の先端部側の所定領域が略一定幅に形成された細幅部１４ａとなり、屈曲部１４ｂを介して残部が細幅部１４ａより太い太幅部１４ｃとなっていてもよい。この実施形態では隣接する細幅部１４ａ間の間隙２８が広く、太幅部１４ｃ間の間隙２８が狭くなっている。
【００５５】
スプリングコーム１５の連結縁部１８側の形状も適宜選択でき、例えば図６に示すように、単にＵ字状に折り返した形状に形成されていてもよいが、図５に示すように、ループ部２３が形成されているのが好適である。このループ部２３は直径が櫛歯部１４間の間隙２８より大きく形成されている。これによりループ部２３により間隙２８間の間隔が広がらないように櫛歯部１４の線材を付勢できる。そのため、各櫛歯部１４間にフィラメント突起１２や毛髪１９が挟持された際、間隙２８に配置されたフィラメント突起１２や毛髪の挟持力を向上することが可能である。しかも、ループ部２３が形成されていれば、頭飾品用止着部材１０を着脱する際、使用者がループ部２３を把持して操作できるため、使い勝手を向上できる。
【００５６】
スプリングコーム１５の材料として線材を用いる場合、線材の太さは０．４ｍｍ〜１．０ｍｍが好適な範囲である。頭髪１９の挟持力を確保するなどのために線材の太さを０．７ｍｍ〜０．９ｍｍとするのがより好適である。
【００５７】
櫛歯部１４の剛性は少なくとも頭髪１９より硬くし、好ましくはフィラメント突起１２より硬くする。フィラメント突起１２が頭髪１９と絡んだ状態で、櫛歯部１４を側方から差し込んで止着部材１０を装着するため、櫛歯部１４の剛性が不足すると櫛歯部１４が屈曲し易くなって差し込み難くなる。例えば各櫛歯部１４の曲げ剛性を０．９〜１．５Ｎの範囲の荷重で変形するようにすれば、頭髪１９の間に櫛歯部１４を差し込み易くでき、しかも櫛歯部１４を頭部形状に沿って変形させ易く好適である。
【００５８】
各櫛歯部１４の連結縁部１８から先端までの長さは、雄部品１３を横断して一部が雄部品１３の周縁より外側に突出できる長さ、例えば２５ｍｍ〜３５ｍｍとしてもよい。この長さが過剰に短いと係止力が低下し、一方、この長さが過剰に長いと、頭飾品２０を頭髪１９に固定した際、頭飾品２０の内側に深く入り込んで頭部形状に沿わない部分が長くなり、使用者に違和感を与える場合がある。
【００５９】
各櫛歯部１４の先端側における配列方向の幅、即ち、空間部１４eの幅と、隣接する櫛歯部１４同士の隙間２８の幅とはほぼ同じであるのがよい。この幅は０．５〜２．０ｍｍの範囲が好適であり、特に好ましくは１．０ｍｍ程度とする。この幅が過剰に広いと、頭髪が隙間２８より逃げ易く、確実に挟持できる頭髪の本数が減少し、この幅が過剰に狭いと、各櫛歯１４の隙間２８への頭髪１９の挿入自体が困難になり、挟持可能な頭髪１９の本数が極端に減って、固定力が低下し易い。
【００６０】
本実施形態の止着部材１０では、図３及び図７に示すように、これらの雄部品１３とスプリングコーム１５とが互いに重なるように連結されている。そして基体シート１１のフィラメント突起１２が設けられた表面領域にスプリングコーム１５がフィラメント突起１２と交差するように配置されている。
【００６１】
雄部品１３とスプリングコーム１５とが連結された状態では、各櫛歯部１４の基体シート１１からの距離が、少なくとも一部のフィラメント突起１２の長さより小さくなるのがよい。このような距離にすれば、頭飾品用止着部材１０を頭部に装着した際、雄部品１３のフィラメント突起１２の一部がスプリングコーム１５の櫛歯部１４間の間隙２８を貫通して配置されるため、確実に相互の移動を規制できる。
【００６２】
この実施形態では、スプリングコーム１５を基体シート１１に連結する連結部２４は、合成樹脂製のフィラメント糸又は紐を雄部品１３の基体シート１１に固定することで環状に形成されている。スプリングコーム１５の櫛歯部２５を構成する線材が連結部２４に遊嵌されて連結されることで、スプリングコーム１５が雄部品１３に対して櫛歯部１４の延長方向に沿ってスライド可能となっている。
【００６３】
この実施形態では、各連結部２４が各櫛歯部１４の延長方向に対してそれぞれ同じ位置、即ち、櫛歯部１４の延長方向に対して略直交する仮想の線上の位置で基体シート１１に連結されている。各連結部２４は各櫛歯部１４の１カ所とするのがよい。そのため、図８に示すように、連結部２４が櫛歯部１４の連結縁部１８側に配置されるようにスプリングコーム１５をスライドさせた状態では、連結部２４を支点にしてスプリングコーム１５を基体シート１１に対して傾斜させることが可能である。
【００６４】
この実施形態では、連結部２４によりスプリングコーム１５の両端に配置される櫛歯部１４だけを連結している。これにより、スプリングコーム１５を基体シート１１に対してスライドさせる際の摺動抵抗を少なく抑えることができ、操作性が良好である。
【００６５】
次に、この実施形態に係る止着部材１０を用いた頭飾品２０を頭髪１９に取り付ける方法について説明する。
まず、図９に示すように、頭飾品本体２２の台座２１における周縁裏側に、互いに離間させた複数位置となるように止着部材１０を取り付けることで頭飾品２０を形成する。雄部品１３及びスプリングコーム１５により十分な固定力が得られることから、止着部材１０は台座２１の周縁の全周に取り付ける必要はない。止着部材１０の数や位置は適宜設定して取り付けることができ、各止着部材１０を互いに離間した位置に設けることが可能である。
【００６６】
スプリングコーム１５の各櫛歯部１４が頭飾品本体２２の周縁部から頭飾品本体２２の内側に向く方向、即ち、各櫛歯部１４が頭飾品本体２２の内側に向けてスライド可能となる向きで止着部材１０を台座２１に取り付ける。
止着部材１０は、例えば基体シート１１のフィラメント突起１２が設けられていない面に粘着剤、接着剤、両面テープ等の接合層２７を設けて台座２１に貼り付けたり、基体シート１１を縫着したりすることで台座２１に固着できる。
【００６７】
次いで、この頭飾品２０を頭部に装着するには、図１０に示すように、頭飾品２０を頭部に載せることで、雄部品１３のフィラメント突起１２を頭髪１９の上方から挿入する。雄部品１３に対応する位置を頭飾品２０の外側から手で押圧し、フィラメント突起１２を頭髪１９間に挿入する。その際、フィラメント突起１２を頭髪１９と絡ませてもよい。
【００６８】
そのまま押圧位置を手で押さえながら、スプリングコーム１５の櫛歯部１４をループ部２３側から他端側へスライドさせる。これにより櫛歯部１４が頭髪１９間及びフィラメント突起１２間に横方向に押し込まれる。そしてスプリングコーム１５の櫛歯部１４が雄部品１３のフィラメント突起１２と頭髪１９とが絡んだ領域の内部に挿入される。
【００６９】
スプリングコーム１５をスライドさせる際には、頭部の残毛状態に応じて、各櫛歯部１４の基材シート１１に対する傾斜を適宜調整することで、スプリングコーム１５の差し込む角度を調整して行う。これにより残毛状態に応じてより強固な係止力が得られる。
【００７０】
このように櫛歯部１４及びフィラメント突起１２を弾性変形させつつスプリングコーム１５を十分にスライドさせると、櫛歯部１４間の隙間２８に頭髪１９が挟持される。スプリングコーム１５の櫛歯部１４と雄部品１３との間で頭髪１９を挟持させてもよい。また各櫛歯部１４を構成する線材内の間隙２８に頭髪１９を配置して絡ませてもよい。図１１に示すように、止着部材１０により頭髪１９を固定状態にすることで装着を完了できる。
【００７１】
以上のような止着部材１０によれば、雄部品１３の複数のフィラメント突起１２が基体シート１１から突出して形成されている。そのため複数のフィラメント突起１２が多数の頭髪１９の間に入り込んで絡んで頭髪１９に引っ掛かることで係止力が得られる。これに加えて、スプリングコーム１５の櫛歯部１４間に多数の頭髪１９を挟持して櫛歯部１４に頭髪１９を絡めることで係止力が得られる。
【００７２】
この止着部材１０では、雄部品１３とスプリングコーム１５とが頭髪１９に縦方向と横方向とに交差して頭飾品２０を頭髪１９に取り付けるのでフィラメント突起１２と櫛歯部１４とが同じ頭髪１９に交差して係止されることで係止力を向上できる。さらに該フィラメント突起１２と櫛歯部１４とが相互に他方の移動を規制することで、雄部品１３及びスプリングコーム１５による係止力を相互に向上できる。
【００７３】
しかも、本発明に従えば、雄部品１３のフィラメント突起１２を頭髪１９に上方から挿入すると共に、その部位にスプリングコーム１５の櫛歯部１４を横方向に挿入することで、頭飾品２０を頭部に装着できる。そのため、例えば従来のストッパのように、反転部材を反転させるための力を負荷する必要がなく、容易に装着できる。
一方、止着部材１０を取り外す際には、例えば装着時とは逆にスプリングコーム１５のループ部２３を頭飾品２０の周縁側に引き出す動作で櫛歯部１４の係止状態を解除することができる。こうして容易に頭飾品２０を頭部から離脱させることができるので、頭飾品２０の着脱作業も容易である。
【００７４】
特に、スプリングコーム１５が基体シート１１に対してスライド可能であるので、複数のフィラメント突起１２と頭髪１９とが絡んだ部位に櫛歯部１４を差し込み易い。このため、フィラメント突起１２と頭髪１９とが絡み合った部位に櫛歯部１４を配置でき、固定力がより向上する。
【００７５】
上記止着部材１０が台座２１に固定されている本発明の頭飾品２０によれば、頭髪１９に対する十分な固定力を有してしっかりと固定でき、しかも装着作業が容易である。
この頭飾品２０では、各止着部材１０を頭飾品本体２２の周縁の互いに離間した複数位置に配置すればよく、頭飾品本体２２周縁の全周に設ける必要がない。さらに雄部品１３のフィラメント突起１２の表面領域にスプリングコーム１５が配置されていることで、例えば雄部品１３が離間せずに周縁側に密集して配置されている場合のように頭飾品の毛髪がフィラメント突起１２に引っ掛かるのを防止し得る。そのため頭飾品２０の取り扱いが容易である。
【００７６】
この頭飾品２０では、複数の櫛歯部１４が基体シート１１に対して頭飾品本体２２周縁から内側に向けて横方向にスライド可能に連結されている。そのため頭飾品本体２２の周縁を大きくまくり上げる動作を必要とせずに頭髪１９に取り付けることができ、頭飾品２０の劣化が防止され耐久性が確保される。
スプリングコーム１５は、複数の櫛歯部１４のスライド方向後端となるループ部２３を頭飾品本体２２の周縁より外側の位置から該周縁より内側の位置までスライドできるように基体シート１１に連結されている。そのため頭飾品２０の装着時には装着し易く、装着後には複数の櫛歯部が外部から視認されることを防止でき、装着状態の外観も良好である。
【００７７】
上記実施形態は、本発明の範囲内において適宜変更可能である。例えば、頭飾品としては、頭髪１９を利用して装着可能な物品であれば、特に限定されるものではない。
上記では、第１係止手段として、面ファスナーに用いられる雄部品１３を用いた例について説明したが、多数のステムを有するものであれば、上記実施形態と同様に用いることが可能である。
上記では、第２係止手段としてスプリングコームを用いた例について説明したが、多数の線状材が櫛歯状に平行に配列した部材であってもよい。
上記では、止着部材１０が頭飾品本体２２の台座２１の裏面に取り付けられた頭飾品２０の例について説明したが、頭飾品２０自体に雄部品１３やスプリングコーム１５を直接設けていてもよい。
【実施例】
【００７８】
以下、実施例及び比較例について説明する。
実施例１〜４及び比較例１〜４の測定用サンプルを使用して固定力の評価を行った。【００７９】
（実施例１）
スプリングコーム１５として、図５に示す櫛歯部１４及びループ部２３を備えたものを作った。スプリングコーム１５の素材は金属であり、太さが０．８５mmの線材である。このスプリングコーム１５は櫛歯部１４の数を６ヶとし、横幅２９mm、長さ３０mmに成形した。【００８０】
雄部品１３は横幅３５mm×長さ１５mmの矩形で、フィラメント突起１２を８０本／cm２の密度で配置し、高さ０．４mmでモノフィラメントの先端に膨出部１７を形成した。
スプリングコーム１５と雄部品１３との連結は、スプリングコーム１５の両端部の櫛歯部１４のそれぞれ１箇所を、太さ０．１６mmのモノフィラメント糸で、スプリングコーム１５がスライド可能な状態で縫着し、止着部材１０を作製した。【００８１】
（実施例２）
スプリングコーム１５の線材の太さを０．５０mm、櫛歯部１４の数を７ヶ、長さを２５mmとした以外は、実施例１と同一にして止着部材１０を作製した。【００８２】
（実施例３）
スプリングコーム１５の形態は、図６のループ部２３を有しないものを形成し、線材の太さを０．８０mm、横幅を３０mmとした以外は実施例１と同一にして止着部材１０を作製した。【００８３】
（実施例４）
スプリングコーム１５と雄部品１３との連結を、スプリングコーム１５の両端部の櫛歯部１４の線材に沿うそれぞれ２箇所とした以外は、実施例１と同一にして止着部材１０を作製した。【００８４】
（比較例１）
実施例１〜４で使用した雄部品１３と同一の物のみからなる止着部材を作製した。【００８５】
（比較例２）
実施例１で使用したスプリングコーム１５と同一の物のみからなる止着部材を作製した。【００８６】
（比較例３）
実施例２で使用したスプリングコーム１５と同一の物のみからなる止着部材を作製した。【００８７】
（比較例４）
実施例３で使用したスプリングコーム１５と同一の物のみからなる止着部材を作製した。【００８８】
（固定力の評価）
各実施例及び比較例により得られた止着部材による固定力の測定を以下のように行った。
まず測定用サンプルを作製した。測定用サンプルは、図１２（ａ）に示す矩形のシート材３１の中心位置に止着部材１０を縫着固定した。このシート材３１の両端部を、止着部材が固定された部分を基点として折り曲げて、図１２（ｂ）に示すようにシート材３１の両端部を貼り合せて測定用サンプルを作製した。【００８９】
この測定用サンプルを頭部に載せて、上述のような固定方法で固定した。即ち、実施例１〜４では、雄部品１３の複数のフィラメント突起１２をマネキン頭部に固定したかつらの毛髪１９に上方向から挿入すると共にスプリングコーム１５の複数の櫛歯部１４を毛髪１９に横方向から挿入して固定した。また、比較例１〜４では複数のフィラメント突起１２又はスプリングコーム１５の櫛歯部１４を同様に毛髪１９に挿入して固定した。
その後、図１３に示すように、上部方向Ｕ、下部方向Ｄ、横方向Ｓに、それぞれ５cm移動させるために必要な荷重を測定した。この荷重の測定は、シンポ工業株式会社製デジタルフォースゲージ（DFG−１K、商品名）を用いた。【００９０】
各サンプルの測定の結果を表１に示す。
【表１】
2011040113.tif 000003
【００９１】
表１より、各実施例においては、何れも雄部品１３単体又はスプリングコーム１５単体の固定力よりも十分に高くなっていた。【００９２】
特に、一部には雄部品１３単体の固定力とスプリングコーム１５単体の固定力を加算した値よりも、実施例の固定力の方が高くなるという極めて顕著な効果を確認できた。例えば、実施例１、実施例４における下部方向固定力及び横方向固定力は比較例１と比較例２を合わせた値よりも高くなっていた。実施例３における横方向固定力は比較例１と比較例４を足した値よりも高くなっていた。【００９３】
スプリングコーム１５については、線材が太い方が毛髪１９の挟持力が強くなる傾向があり、形状は先細りの櫛歯部１４とループ部２３とを形成した方が毛髪１９の挟持力が強くなる傾向があった。【００９４】
さらに、実施例４のように、雄部品１３とスプリングコーム１５の連結箇所を２箇所にすると、上部方向Ｕ及び下部方向Ｄの固定力には差が無いが、横方向Ｓの固定力では低下している。これは止着部材１０を毛髪１９に取り付ける時にスプリングコーム１５の押し込み角度が変えられないので、頭部残毛に応じた適正な角度で毛髪１９が挟持されずに固定力が低下したと考えられた。【００９５】
（実施例５）
実施例１で用いた雄部品１３及びスプリングコーム１５を備えた止着部材１０を、頭飾品本体２２の裏面に、図１４に示す位置に４個取り付けて実施例５のかつらを作製した。このかつらでは、全てのスプリングコーム１５の先端を頭飾品本体２２の中心側に向けて配置した。【００９６】
（比較例５）
実施例５の雄部品１３のみからなる止着部材を用いる他は全て実施例５と同様にして、比較例５のかつらを作製した。【００９７】
（比較例６）
実施例５のスプリングコーム１５のみからなる止着部材を用いる他は、全て実施例５と同様にして、比較例６のかつらを作製した。【００９８】
次に、実施例５及び比較例５，６のかつらを頭部に装着し、上部方向Ｕ、下部方向Ｄ、横方向Ｓに、それぞれ５cm移動させるのに必要な荷重を測定した。この荷重の測定は、シンポ工業株式会社製デジタルフォースゲージ（FGPX−５、商品名）を用いた。【００９９】
各かつらについて測定結果を表２に示す。
【表２】
2011040113.tif 000004
【０１００】
表２から明らかな通り、実施例５のかつらは、上部方向、下部方向及び横方向の各固定力が、雄部品１３のみからなる止着部材を用いた比較例５やスプリングコーム１５のみからなる止着部材を用いた比較例６に比べて、はるかに高い固定力を示した。
一般に止着部材による固定力が１０００ｇｆ以上あると、かなり強い固定力を有すると判断されている。実施例５では何れの方向にも１０００ｇｆ以上であり、かつらを装着するために十分な固定力が得られた。【０１０１】
しかも実施例５の上部方向、下部方向及び横方向の各固定力が、雄部品１３のみからなる止着部材を用いた比較例５の固定力と、スプリングコーム１５のみからなる止着部材を用いた比較例６の固定力との合計よりも大きくなっていた。このことから、雄部品１３とスプリングコーム１５とを組み合わせたことによる相乗効果が得られていることが明らかとなった。
【図１】
2011040113.tif 000005
【図２】
2011040113.tif 000006
【図３】
2011040113.tif 000007
【図４】
2011040113.tif 000008
【図５】
2011040113.tif 000009
【図６】
2011040113.tif 000010
【図７】
2011040113.tif 000011
【図８】
2011040113.tif 000012
【図９】
2011040113.tif 000013
【図１０】
2011040113.tif 000014
【図１１】
2011040113.tif 000015
【図１２】
2011040113.tif 000016
【図１３】
2011040113.tif 000017
【図１４】
2011040113.tif 000018
【国際調査報告】
2011040113.tif 000019
2011040113.tif 000020
2011040113.tif 000021
2011040113.tif 000022